(57)【特許請求の範囲】
【請求項１】
ユーザ端末と接続された掲示板サーバにおけるディベート掲示方法において、
掲示板の画面情報である掲示板情報を掲示板の識別子である掲示板IDと対応づけてデータベースに格納するステップと、
ディベートテーマの一覧情報を前記ユーザ端末に送信するステップと、
前記ディベートテーマを示すディベートテーマIDを前記ユーザ端末から受け取ると、ディベートテーマIDに基づいてディベートデータベースから前記ディベートテーマIDに関連する意見掲示板ＩＤとコメント掲示板ＩＤを取り出し、当該取り出したIDに基づいて、前記データベースから、前記ディベートテーマに対する意見投稿を行うための掲示板情報あるいは前記意見投稿に対するコメントを行うための掲示板情報を検索する検索ステップと、
前記検索された結果を前記ユーザ端末に送信し、当該結果に基づいてユーザ端末で意見参加あるいはコメント参加のいずれで参加するかを選択させるステップと、
を有することを特徴とするディベート掲示方法。
【請求項２】
ユーザ端末と掲示板サーバとを備えたディベート掲示システムにおけるディベート掲示
方法において、
前記掲示板サーバが、掲示板の画面情報である掲示板情報を掲示板の識別子である掲示
板IＤと対応づけてデータベースに格納するステップと、
前記掲示板サーバが、ディベートテーマの一覧情報を前記ユーザ端末に送信するステッ
プと、
前記掲示板サーバが、前記ディベートテーマを示すディベートテーマIＤを前記ユーザ端末から受け取ると、ディベートテーマＩＤに基づいてディベートデータベースから前記ディベートテーマＩＤに関連する意見掲示板ＩＤとコメント掲示板ＩＤを取り出し、当該取り出したIＤに基づいて、前記データベースから、前記ディベートテーマに対する意見投稿を行うための掲示板情報あるいは前記意見投稿に対するコメントを行うための掲示板情報を検索する検索ステップと、
前記掲示板サーバが、前記検索された結果を前記ユーザ端末に送信するステップと、  
前記ユーザ端末が、送信された前記掲示板情報を表示し、意見参加あるいはコメント参加のいずれで参加するかを選択するステップと、
を有することを特徴とするディベート掲示方法。
【請求項３】
掲示板の画面情報である掲示板情報が掲示板の識別子である掲示板ＩＤと対応づけて格納されたデータベースを有する掲示板サーバと、
前記掲示板情報を表示するユーザ端末と、
を備え、
前記掲示板サーバは、前記ディベートテーマを示すディベートテーマＩＤを前記ユーザ端末から受け取ると、ディベートテーマＩＤに基づいてディベートデータベースから前記ディベートテーマＩＤに関連する意見掲示板ＩＤとコメント掲示板ＩＤを取り出し、当該取り出したIＤに基づいて、前記データベースから、前記ディベートテーマに対する意見投稿を行うための掲示板情報あるいは前記意見投稿に対するコメントを行うための掲示板情報を検索し、前記検索結果を前記ユーザ端末に送信するとともに当該結果に基づいてユーザ端末で意見参加あるいはコメント参加のいずれで参加するかを選択させることを特徴とするディベート掲示板システム。
【請求項４】
前記掲示板サーバは、
前記ユーザ端末に対してネットワークを通じて情報通信するウェブサーバ部と、
会員のユーザ情報を保持するユーザデータベースと、
前記ディベートテーマ並びに前記ディベートテーマに対する意見及びコメントをそれぞれに掲載する意見掲示板及びコメント掲示板の管理情報を保持するディベートデータベー
スと、
ディベート参加者対応に、意見投稿あるいはコメント投稿を投稿する掲示板ＩＤと、それに対する投稿許可情報と、投稿した意見あるいはコメントの蓄積と、を保持する掲示板
データベースと、
前記ユーザデータベース及びディベートデータベース並びに掲示板データベースを有す
るデータベースに対する情報を入出力するデータベース管理部と、
前記ウェブサーバ部から受け取る情報に基づいて、前記データベース管理部を介して、
前記ユーザデータベースによって会員を認証及び管理し、前記ディベートデータベースに
よってディベートテーマを登録して意見掲示板並びにコメント掲示板を管理し、前記掲示
板データベースによって参加者対応に前記意見投稿及びコメント投稿を蓄積及びそれの投
稿許可情報を管理し、会員の掲示板閲覧要求に対して、掲示板データベースを検索編集し、意見あるいはコメントを掲示する意見掲示板あるいはコメント掲示板の表示画像を生成
し、管理端末の統制情報による掲載投稿の削除あるいは投稿許可取り消しをするアプリケーション部と、
を備えることを特徴とする請求項３記載のディベート掲示板システム。
【請求項５】
前記アプリケーション部は、
会員のユーザＩＤ及びパスワードをユーザデータベースに登録管理するユーザ管理部と、
会員のディベートテーマ登録要求に対して、ディベートテーマ入力画面をユーザ端末に
送付し、前記ユーザ端末から送信されるディベートテーマを前記ディベートデータベースに登録し、前記ディベートテーマに関する意見及びコメントを掲載するディベート掲示板
及び意見掲示板を開設して、ディベート掲示板ＩＤ及び意見掲示板ＩＤを前記ディベート
データベースに登録するディベートテーマ登録部と、
会員のディベートテーマ一覧要求に対して、前記ディベートデータベースに登録されて
いるディベートテーマ一覧を前記ユーザ端末に送信するディベートテーマ選択部と、
ディベートテーマを選択し、前記ディベートテーマに関する意見を投稿する意見参加要
求の会員、あるいは掲示された意見に対してコメントを投稿するコメント参加要求する会
員が投稿許可されているか否かを示す情報を掲示板データベースに登録する参加登録部と、
会員の投稿要求に対して投稿入力画面を送付し、前記会員が前記投稿入力画面に入力し
たディベートテーマに関する意見、あるいは掲示された意見に対するコメントを前記意見
に関連付ける識別を付して、掲示板データベースの掲示板情報に登録する投稿登録部と、
会員の意見掲示板閲覧要求に対して、ディベートテーマに対応する掲示板データベース
の同じ意見掲示板ＩＤを有する掲示板情報に登録された意見を検索編集する意見掲示板検
索部と、
会員のコメント掲示板閲覧要求に対して、掲示板データベースの同じコメント掲示板Ｉ
Ｄを有する全ての掲示板情報に登録されたコメントを検索編集するコメント掲示板検索部
と、
前記意見掲示板検索部の検索編集結果と、前記コメント掲示板検索部の検索編集結果と、から掲示板画像を生成する掲示板画像生成部と、
前記管理端末からの掲載投稿の削除指示、あるいは参加者の投稿許可の取り消し指示を
処理する統制指示部と、
を有することを特徴とする請求項４記載のディベート掲示板システム。
【請求項６】
前記ユーザデータベースは、
会員対応にユーザ情報を設定し、前記ユーザ情報には、ユーザＩＤと、パスワードと、を保持することを特徴とする請求項４記載のディベート掲示板システム。
【請求項７】
前記ディベートデータベースは、
ディベートテーマ対応にディベートテーマ情報を設定し、前記ディベートテーマ情報に
は、ディベートテーマＩＤと、前記ディベートテーマに関する意見投稿を掲示する意見掲
示板ＩＤと、前記意見掲示板の掲載意見に対するコメント投稿を掲示するコメント掲示板
ＩＤと、を保持することを特徴とする請求項４記載のディベート掲示板システム。
【請求項８】
前記掲示板データベースは、
参加者対応に掲示板情報を設定し、前記掲示板情報には、参加者がディベートテーマに
対応して参加する意見掲示板、あるいはコメント掲示板のいずれか一つの掲示板ＩＤと、
前記掲示板に対する投稿の投稿許可情報と、
前記意見掲示板に投稿した意見投稿、あるいはと前記コメント掲示板に投稿したコメン
ト投稿を蓄積する投稿情報と、
を保持することを特徴とする請求項４記載のディベート掲示板システム。
【請求項９】
コンピュータに、
掲示板の画面情報である掲示板情報を掲示板の識別子である掲示板ＩＤと対応づけてデータベースに格納するステップと、
ディベートテーマの一覧情報をユーザ端末に送信するステップと、
前記ディベートテーマを示すディベートテーマIDを前記ユーザ端末から受け取ると、デ
ィベートテーマＩＤに基づいてディベートデータベースから前記ディベートテーマIDに関連する意見掲示板ＩＤとコメント掲示板ＩＤを取り出し、当該取り出したIDに基づいて、前記データベースから、前記ディベートテーマに対する意見投稿を行うための掲示板情報あるいは前記意見投稿に対するコメントを行うための掲示板情報を検索するステップと、
前記検索された結果を前記ユーザ端末に送信し、当該結果に基づいてユーザ端末で意見参加あるいはコメント参加のいずれで参加するかを選択させるステップと、
を実行させることを特徴とするディベート掲示プログラム。
【発明の詳細な説明】
【技術分野】
【０００１】
この発明は、大勢が参加する電子掲示板を利用したディベートシステムに関し、特に、ディベートテーマに関する意見を述べる意見参加者と、掲載された意見に対するコメントを述べるコメント参加者と、を個別に登録管理し、ディベートテーマに対する意見を掲載する意見掲示板と、前記意見に対するコメントを掲載するコメント掲示板と、を設けて、一つの掲示板に意見とそれに対するコメントが混載されることを禁止し、ディベートを妨げる意見やコメントの削除や投稿者を投稿許可取り消しできるディベート掲示板の統制方法及びそのシステムに関する。
【背景技術】
【０００２】
従来、対面でディベートするとき、ディベートが発散したり、目的が見失われ、無意味な論争にならないように、野次馬的な意見を控えることが参加者に対する暗黙のルールになっている。しかし、インターネットを通じて、不特定多数が参加してディベートする場合、様々な人が参加するし、真面目にディベートしない野次馬のような人もいる。そのような場合、参加者が暗黙のルールに従うということが期待できないので、ディベートを妨げる論争のための論争を抑制するシステム的な仕掛けが働くようにする必要がある。
【０００３】
そのような考慮が取り入れられた例に、電子掲示板に投稿された不適切なメッセージを自動的に削除するシステムがある。掲載されたメッセージに対して、ユーザが択一で評価を入力し、該評価をカウントして、所定値に達すると、自動削除する例である。しかし、不快なメッセージでも、評価が定まらない間は、真面目な投稿に混じって掲示される問題がある（特許文献１）。
【０００４】
更に、電子掲示板で、一つのテーマに対して、多数がディスカッションを行うとき、参加者のディスカッションのカテゴリや発言を蓄積するデータベースを備え、参加者の端末で過去の発言を順に表示する。つまり、過去の発言を順に表示することにより、ディスカッションの発散や無駄な発言を防止する。これは、特定のテーマでディスカッションするとき、発言がツリー状に表示されることが、変な発言に対して抑制的に働く。しかし、参加者が不特定多数で、かなずしもルールに従わない参加者が混じる場合、発言木が有効に作用するとは限らない（特許文献２）。
【０００５】
【特許文献１】特開２００２−７２７６号公報（カラム００１１，００２５）
【特許文献２】特開２００２−９１８６５号公報（カラム００２５、００３０）
【発明の開示】
【発明が解決しようとする課題】
【０００６】
インターネットの電子掲示板における議論や論争は、感情的な対立や暴言の応酬など悪ふざけが発生しやすく、状況が悪化しすぎて閉鎖を余儀なくされるケースも稀ではない。その原因は議論や論争を好む者と好まない者が同じテーマの掲示板に混在しているということがある。論争を仲裁する発言をした者が攻撃されたり、論争を好まない者の発言が論争を好む者から攻撃されたりという事態が多発し、多くの掲示板は、「節度のない罵り合いの掲示板」か、「当たり障りのない発言しかできない掲示板」かのどちらかに二極化する傾向がある。その結果、論争のための論争を好まない者は意見を述べることを敬遠し、建設的な意見やそれに対するコメントの掲載が減り、ディベート掲示板の維持運営を困難にする。
【０００７】
そこで、そのような事態を予防して、ディベートを整然と進行させる方策を採用したディベート掲示板システムは、ウェブサーバのホームページに、ユーザデータベース、ディベートデータベース、掲示板データベースに格納された情報に従い、ディベート掲示板に対する意見掲載及びコメント掲載を統制する電子コミュニティ機能を備え、ユーザ端末には該ホームページにアクセスし、ディベートに参加して意見を掲載する掲示板と、ディベートの意見に対するコメントを掲載するコメント掲示板と、別個に管理して、ディベートが野次馬的なコメントで乱されないようにする。
【０００８】
この発明の目的は、会員がディベートテーマを登録して、ディベート参加者を募り、意見を掲載するディベート掲示板と、掲載された意見にコメントを寄せる会員のコメントを掲載するコメント掲示板と、を設けて、コメントは関連する意見に対応するように編集して野次馬的参加者の意見やコメントを目立つようにして掲示し、野次馬的参加者に抑制的な環境を整えて真面目なディベートが乱されることを防止する。
【０００９】
更に、他の目的は、ディベート参加者及びコメント参加者を登録し、登録していない会員はディベートに参加を許可しないことによって、登録されている参加者に自由なディベートの場を提供することにある。
【課題を解決するための手段】
【００１０】
そのため、このな発明の、情報提供業者が提供する電子掲示板に、会員がディベートテーマを掲載して意見を募り、他の会員が前記ディベートテーマに関する意見を投稿して前記電子掲示板に掲載し、会員が互いに前記電子掲示板を意見交換媒体にしてディベートするディベート掲示板の掲示統制方法において、会員が提議するディベートテーマに関して、他の会員の意見を募ってディベートするとき、会員が前記ディベートテーマに対する意見を投稿する意見参加者か、あるいは掲示されている意見に対するコメントを投稿するコメント参加者か、のいずれか一つを選択させて会員の参加者を管理し、前記意見参加者の意見のみを掲載する意見掲示板と、前記コメント参加者の前記意見に対するコメントのみを前記意見に関連付けて編集して掲載するコメント掲示板と、を設けて、意見参加者の意見と、コメント参加者のコメントと、が同じ掲示板に投稿掲載されることを禁止する。
【００１１】
更に、情報提供業者が提供する電子掲示板に、会員がディベートテーマを掲載して意見を募り、他の会員が前記ディベートテーマに関する意見を投稿して前記電子掲示板に掲載し、会員が互いに前記電子掲示板を意見交換媒体にしてディベートするディベート掲示板システムにおいて、会員が掲示板に対して投稿あるいは閲覧に使用するブラウザを搭載するユーザ端末と、ディベート参加者の投稿許可と、掲載された意見あるいはコメントを掲示板からの削除と、ディベートの終了と、を統制する指示を入力するブラウザを搭載する管理端末と、前記ユーザ端末及び前記管理端末を接続して、会員が提議するディベートテーマをデータベースに登録し、掲示板に掲載して他の会員の意見投稿を募り、前記ディベートテーマに対する意見を投稿する意見参加者と、掲示板に掲載された前記意見に対応付けたコメントを投稿するコメント参加者と、を別個に投稿許可し、前記意見参加者の意見投稿を意見掲示板に掲載し、前記コメント参加者のコメント投稿をコメント対象の意見に関連付けて編集してコメント掲示板に掲載し、ディベートの進行を妨げる意見及びコメントの削除並びにそれらの投稿許可を取り消してディベートを統制する掲示板サーバと、前記ユーザ端末及び管理者端末並びに前記掲示板サーバを接続するネットワークと、を備える。
【００１２】
更に、前記掲示板サーバは、ユーザ端末及び管理者端末に対してネットワークを通じて情報通信するウェブサーバ部と、会員のユーザ情報を保持するユーザデータベースと、ディベートテーマ並びにディベートテーマに対する意見及びコメントをそれぞれに掲載する意見掲示板及びコメント掲示板の管理情報を保持するディベートデータベースと、ディベート参加者対応に、意見投稿あるいはコメント投稿を投稿する掲示板ＩＤと、それに対する投稿許可情報と、投稿した意見あるいはコメントの蓄積と、を保持する掲示板データベースと、前記ユーザデータベース及びディベートデータベース並びに掲示板データベースを有するデータベースに対する情報を入出力するデータベース管理部と、前記ウェブサーバ部から受け取る情報に基づいて、前記データベース管理部を介して、前記ユーザデータベースによって会員を認証及び管理し、前記ディベートデータベースによってディベートテーマを登録して意見掲示板並びにコメント掲示板を管理し、前記掲示板データベースによって参加者対応に前記意見投稿及びコメント投稿を蓄積及びそれの投稿許可情報を管理し、会員の掲示板閲覧要求に対して、掲示板データベースを検索編集し、意見あるいはコメントを掲示する意見掲示板あるいはコメント掲示板の表示画像を生成し、管理端末の統制情報による掲載投稿の削除あるいは投稿許可取り消しをするアプリケーション部と、を備える。
【００１３】
更に、前記アプリケーション部は、会員のユーザＩＤ及びパスワードをユーザデータベースに登録管理するユーザ管理部と、会員のディベートテーマ登録要求に対して、ディベートテーマ入力画面をユーザ端末に送付し、前記ユーザ端末から送信されるディベートテーマを前記ディベートデータベースに登録し、前記ディベートテーマに関する意見及びコメントを掲載するディベート掲示板及び意見掲示板を開設して、ディベート掲示板ＩＤ及び意見掲示板ＩＤを前記ディベートデータベースに登録するディベートテーマ登録部と、会員のディベートテーマ一覧要求に対して、前記ディベートデータベースに登録されているディベートテーマ一覧を前記ユーザ端末に送信するディベートテーマ選択部と、ディベートテーマを選択し、前記ディベートテーマに関する意見を投稿する意見参加要求の会員、あるいは掲示された意見に対してコメントを投稿するコメント参加要求する会員の投稿許可を掲示板データベースに登録する参加登録部と、会員の投稿要求に対して投稿入力画面を送付し、前記会員が前記投稿入力画面に入力したディベートテーマに関する意見、あるいは掲示された意見に対するコメントを前記意見に関連付ける識別を付して、掲示板データベースの掲示板情報に登録する投稿登録部と、会員の意見掲示板閲覧要求に対して、ディベートテーマに対応する掲示板データベースの同じ意見掲示板ＩＤを有する掲示板情報に登録された意見を検索編集する意見掲示板検索部と、会員のコメント掲示板閲覧要求に対して、掲示板データベースの同じコメント掲示板ＩＤを有する全ての掲示板情報に登録されたコメントを検索編集するコメント掲示板検索部と、前記意見掲示板検索部の検索編集結果と、前記コメント掲示板検索部の検索編集結果と、から掲示板画像を生成する掲示板画像生成部と、前記管理端末からの掲載投稿の削除指示、あるいは参加者の投稿許可の取り消し指示を処理する統制指示部と、を有する。
【００１４】
更に、前記ユーザデータベースは、会員対応にユーザ情報を設定し、前記ユーザ情報には、ユーザＩＤと、パスワードと、を保持する。
【００１５】
更に、前記ディベートデータベースは、ディベートテーマ対応にディベートテーマ情報を設定し、前記ディベートテーマ情報には、ディベートテーマＩＤと、前記ディベートテーマに関する意見投稿を掲示する意見掲示板ＩＤと、前記意見掲示板の掲載意見に対するコメント投稿を掲示するコメント掲示板ＩＤと、を保持する。
【００１６】
更に、前記掲示板データベースは、参加者対応に掲示板情報を設定し、前記掲示板情報には、参加者がディベートテーマに対応して参加する意見掲示板、あるいはコメント掲示板のいずれか一つの掲示板ＩＤと、前記掲示板に対する投稿の投稿許可情報と、前記意見掲示板に投稿した意見投稿、あるいはと前記コメント掲示板に投稿したコメント投稿を蓄積する投稿情報と、を保持する。
【発明の効果】
【００１７】
この発明の第１の効果は、掲示板上での論争を野次馬が蹂躙しないように抑制が働くことである。その理由は、ディベート参加者を意見掲示板への意見掲載を許可された意見参加者に限定して、単なる論争のための意見を抑制し、掲載意見に対するコメントはコメント掲示板に掲載して、野次馬がディベートを混乱させないように統制する仕組みがシステム化されているからである。
【００１８】
更に、第２の効果は、節度あるディベートと、ディベートの建設的な決着が容易に図られることである。その理由は、傍観者や野次馬的参加者が、意見に対する感想や野次馬的発言のみをコメント掲示板に掲載させて、意見参加者は自分の意見や主張に対する傍観者や野次馬的参加者の感想やコメントを該コメント掲示板で意見対応に編集されたコメントとして読むことによって、自らの発言に対する反響が読み取れてディベートに節度が生まれると共に、自ずと主張に決着を着けやすくなるからである。
【発明を実施するための最良の形態】
【００１９】
この発明を実施するための最良の形態について図面を参照して説明する。最良の形態の構成を示す図１を参照すると、ディベート掲示板システム１は、掲示板に掲示するディベートテーマやそれに対する投稿を統制する掲示板サーバ１０と、掲示板サーバ１０に接続し、ディベート参加者や投稿を管理するデータベース２０と、ディベート参加者や掲示板閲覧者のブラウザ３１を搭載するユーザ端末３０と、掲示板の投稿掲示を統制するブラウザ４１を搭載する管理端末４０と、インターネットなどを含むネットワーク５０と、を有する。
【００２０】
データベース２０の各構成を示す図２（ａ）を参照すると、ユーザデータベース２１は、ディベート参加者や一般会員であるユーザＩＤ２１２と、パスワード２１３と、を会員対応に保持するユーザ情報２１１を含む。
【００２１】
図２（ｂ）を参照すると、ディベートデータベース２２は、ディベートディベートテーマに対応するディベートＩＤ２２２と、ディベートテーマに関する意見投稿を掲示する意見掲示板ＩＤ２２３と、掲示されている意見に関するコメントを掲示するコメント掲示板ＩＤ２２４と、を含むディベート情報２２１を保持する。
【００２２】
図２（ｃ）を参照すると、掲示板データベース２３は、ディベート参加者対応に参加する掲示板ＩＤ２３２と、該当掲示板に対する投稿許可情報２３３と、意見やコメントの投稿を蓄積する投稿情報２３４と、を含む掲示板情報２３１を保持する。
【００２３】
図３を参照すると、掲示板サーバ１０は、ネットワーク５０を接続して情報通信するウェブサーバ部１１と、掲示板に掲示する意見やコメントを処理するアプリケーション部１２と、データベース２０を管理するデータベース管理部１３と、を含む。
【００２４】
アプリケーション部１２は  電子掲示板を閲覧あるいはディベート参加する会員にユーザＩＤ及びパスワードを与えて、ユーザデータベース２１に登録するユーザ管理部１２１と、会員のディベートテーマ登録要求に対して、ディベートテーマ入力画面をユーザ端末３０に送付し、前記ユーザ端末３０から送信されるディベートテーマをディベートデータベース２２に登録し、ディベートテーマＩＤと、それに関する意見及びコメントを掲載するディベート掲示板及び意見掲示板を開設して、ディベート掲示板ＩＤ２２３及び意見掲示板ＩＤ２２４をディベートデータベース２２に登録するディベートテーマ登録部１２２と、を含む。
【００２５】
更に、会員のディベートテーマ一覧要求に対して、ディベートデータベース２２に登録されているディベートテーマを検索して、ディベートテーマ一覧をユーザ端末３０に送信するディベートテーマ選択部１２３と、会員がディベートテーマと、意見あるいはコメント参加の指定と、を含むディベート参加要求に対して、参加者対応の掲示板情報２３１に、意見参加あるいはコメント参加のいずれか一つの投稿許可情報２３３を掲示板データベース２３１に登録する参加登録部１２４と、を含む。
【００２６】
更に、会員のディベートテーマを指定した投稿要求に対して、投稿入力画面を送付して、会員ユーザが投稿入力画面に入力した意見投稿、あるいはコメント投稿を該当の掲示板データベース２３の掲示板情報２３１に登録する投稿登録部１２５と、ディベートテーマ指定に対応して、意見掲示板ＩＤ２２３に同じ掲示板ＩＤ２３２を有する投稿情報２３４を検索し、投稿順に編集する意見掲示板検索部１２６と、会員のコメント掲示板閲覧要求に対して、ディベートテーマ指定に応じたコメント掲示板ＩＤ２２４に同じ掲示板ＩＤ２３２を有する掲示板情報２３１の全てを参加者対応に検索し、意見の関連を示す識別にしたがって編集するコメント掲示板検索部１２７と、意見掲示板検索部１２６の検索編集結果と、コメント掲示板検索部１２７の検索編集結果と、から意見掲示板とコメント掲示板とを表示する画面を生成する掲示板画像生成部１２８と、を含む。
【００２７】
更に、システム管理者による、意見掲示板やコメント掲示板に対する参加会員の掲示投稿を掲示板データベース２３１の投稿情報２３４から削除、あるいは投稿許可情報２３３を取り消し、をする統制指示を処理する統制指示部１２９と、を含む。
【００２８】
次に、図１乃至図３を援用し、図４乃至図８を参照して、この実施の形態における動作について説明する。まず、図４を参照して、会員が、掲示板を閲覧する動作について説明する。会員がユーザ端末３０から掲示板サーバ１０のホームページにアクセスする（図４のステップ５０１）。掲示板サーバ１０は、ホームページをユーザ端末３０に送信する（ステップ５０２）。ユーザ端末３０から、会員がディベート一覧を要求する（ステップ５０３）。掲示板データベース１０のディベートテーマ選択部１２３によって、ディベートデータベース２２を参照して（ステップ５０４）、ディベートテーマに関するディベートテーマＩＤ２２２、意見掲示板ＩＤ２２３、コメント掲示板ＩＤ２２４の一覧を編集して（ステップ５０５）、ユーザ端末３０に送信する（ステップ５０６）。会員は該ディベートテーマ一覧から、ディベートテーマを選択し、意見掲示板及びコメント掲示板の閲覧要求する（ステップ５０７）。掲示板サーバ１０は、選択したディベートテーマに関するディベートテーマＩＤ２２２、意見掲示板ＩＤ２２３、コメント掲示板ＩＤ２２４によって、意見掲示板検索部１２６及びコメント掲示板検索部１２７によって、掲示板データベース２３を検索し（ステップ５０８）、指定した掲示板ＩＤ２３２を有する投稿情報２３４から、意見あるいはコメントを検索編集し（ステップ５０９）、掲示板サーバ１０に送付する（ステップ５１０）。掲示板サーバ１０は、指定したディベートテーマに関する検索編集された意見あるいは意見対応に編集されたコメントを掲示板画像生成部１３０によって画像生成し、ユーザ端末に送信する（ステップ５１１）。ユーザ端末３０は意見あるいはコメント掲示板を表示し、会員が該掲示板を閲覧する。ディベートテーマに関する意見及びコメントの編集は、意見は投稿の時系列順に、特定の意見に関するコメントは、意見と対応付けて時系列順に編集して、それぞれの掲示板に掲示される（ステップ５１２）。
【００２９】
次に、図５を参照して、会員がディベートに参加する動作を説明する。会員はユーザ端末３０を通じて、掲示板サーバ１０のホームページにアクセスする（図５のステップ６０１）。掲示板サーバ１０はホームページを送信する（ステップ６０２）。ユーザ端末３０から、会員がディベート一覧を要求する（ステップ６０３）。掲示板データベース１０のディベートテーマ選択部１２３によって、ディベートデータベース２２を参照して（ステップ６０４）、ディベートテーマに関するディベートテーマＩＤ２２２、意見掲示板ＩＤ２２３、コメント掲示板ＩＤ２２４の一覧を編集して（ステップ６０５）、ユーザ端末３０に送信する（ステップ６０６）。会員は該ディベートテーマ一覧から、ディベートテーマを選択し、ディベート参加要求する（ステップ６０７）。掲示板サーバ１０は、参加登録部１２４を通じて、ユーザ登録画面をユーザ端末３０に送信する（ステップ６０８）。会員は、該ユーザ登録画面に会員ＩＤ及びディベートテーマ及び意見参加あるいはコメント参加の識別を入力し（ステップ６０９）、参加登録データを掲示板サーバ１０に送信する（ステップ６１０）。掲示板サーバ１０は、参加者ＩＤ及びパスワード並びに参加ディベートテーマ及び意見参加あるいはコメント参加の識別によって、会員に意見参加かあるいはコメント参加かのどちらか一方に投稿許可を付与し（ステップ６１１）、投稿データベース２３の投稿情報２３１の投稿許可情報２３３に登録する（ステップ６１２）。掲示板サーバ１０は、登録完了をユーザ端末３０に送信し（ステップ６１３）、会員はディベート参加のユーザ登録を完了する（ステップ６１４）。
【００３０】
次に、会員によるディベートテーマを登録する動作について説明する。図６を参照すると、会員はホームページからＩＤ及びパスワードを入力して、掲示板サーバ１０に認証要求する（図６の７０１）。掲示板サーバ１０のユーザ管理部１２１が会員のＩＤ及びパスワードを入手して（ステップ７０２）、ユーザデータベース２１のユーザ情報２１１を参照して（ステップ７０３）、会員を認証し、ユーザ確認を返す（ステップ７０４）。会員はディベートテーマ開設要求をホームページから掲示板サーバ１０に送る（ステップ７０５）。掲示板サーバ１０のディベートテーマ登録部１２２は、ディベート開設入力画面をユーザ端末３０に送信する（ステップ７０６）。会員は、ディベート開設入力画面にディベートテーマと、該テーマの目的や問題提起に関する所感を入力して、掲示板サーバ１０に送信する（ステップ７０８）。掲示板サーバ１０のディベート登録部１２２は、該ディベートテーマに関する掲示板をディベートデータベース２２のディベート情報２２１にディベートテーマＩＤ２２２、意見掲示板ＩＤ２２３、コメント掲示板ＩＤ２２４を送付して（ステップ７０９）、掲示板を開設する（ステップ７１０）。更に、掲示板データベース２３に参加者対応に掲示板情報２３１を設けて、参加者が投稿する意見掲示板あるいはコメント掲示板に対応する掲示板ＩＤ２３２への投稿許可情報２３３、投稿情報２３４を開設する（ステップ７１１）。
【００３１】
次に、会員がディベートに参加して、投稿する場合の動作を図７を参照して説明する。認証された会員が、掲示板サーバ１０のホームぺージに投稿要求を送る（図７のステップ８０１）。掲示板サーバ１０の投稿登録部は、掲示板データベース２３に投稿許可情報２３３を送付し（ステップ８０２）、掲示板データベース２３に会員対応の掲示板情報２３１を開設する（ステップ８０３）。掲示板サーバ１０は、投稿入力画面をユーザ端末３０に送信する（ステップ８０４）。会員はユーザ端末に表示された投稿入力画面に（ステップ８０５）、投稿対象のディべートテーマＩＤと、意見掲示板ＩＤか、あるいはコメント掲示板ＩＤのいずれか一つの指定と、対応する意見あるいはコメントと、を入力し、更に、コメントの場合、掲示板に既に掲示されている意見に関するコメントであることが示される識別を入力して（ステップ８０６）、掲示板サーバ１０に送信する（ステップ８０７）。掲示板サーバ１０の投稿登録部１２５は該投稿入力画面のデータに基づいて（ステップ８０８）、掲示板データベース２３の掲示板情報２３１の投稿情報２３４に投稿を蓄積する（ステップ８０９）。
【００３２】
次に、図８を参照して、ディベート管理者が掲示板を閲覧し、参加者や投稿を削除するディベート統制の動作を説明する。ディベート管理者が管理端末４０から掲示板の閲覧要求を掲示板サーバ１０に送信する。閲覧要求には、ディベートテーマに関する意見掲示板と、コメント掲示板と、を指定する（図８のステップ９０１）。掲示板サーバ１０の意見掲示板検索部１２６及びコメント掲示板検索部１２７が掲示板データベース２３の投稿情報２３４を検索し、指定する意見投稿及びコメント投稿を検索し、結果を掲示板サーバ１０に送付する（ステップ９０３）。掲示板サーバ１０は、該検索結果に基づいて、意見掲示板及びコメント掲示板を編集する。意見はディベートテーマに関する投稿順に編集する。コメントは対象の対象の意見に関してまとめられて、投稿順に編集される。コメントが複数意見にまたがる場合、該当意見毎に採録編集される（ステップ９０４）。編集された意見及びコメントをそれぞれ掲示板画像に生成し（ステップ９０５）、管理端末４０に送信する（ステップ９０６）。ディベート管理者は管理端末４０で、意見掲示板及びコメント掲示板を閲覧する（ステップ９０７）。ディベート管理者は掲示板を閲覧して、参加者の参加許可取り消し、掲示板の閉鎖、あるいは参加者の投稿許可取り消し、または掲載されている投稿自体の削除を入力し、掲示板サーバ１０に送信する（ステップ９０８）。掲示板サーバ１０の統制指示部１２９は、参加者の参加許可取り消しに対して、ユーザデータベース２１のユーザ情報２１１を削除し（ステップ９０９）、掲示板の閉鎖に対して、ディベートデータベース２２のディベート情報２２１を削除し（ステップ９１０）、参加者の投稿許可取り消しに対して、掲示板データベース２３の投稿許可情報２３３を削除し、掲載投稿の削除に対して、掲示板データベース２３の投稿情報２３４から、該当の投稿を削除する（ステップ９１１）。
【産業上の利用可能性】
【００３３】
インターネットを利用した電子掲示板に、設定したディベートテーマに関するディベートが建設的な意見やコメントの交換になるよう掲示板の投稿を統制できる電子掲示板システムの分野。
【図面の簡単な説明】
【００３４】
【図１】この発明のディベート掲示板システムのシステム構成を示す図である。
【図２】分図（ａ）はユーザデータベース、分図（ｂ）はディベートデータベース、分図（ｃ）は掲示板データベースの構成をそれぞれ示す図である。
【図３】掲示板サーバのアプリケーション部の構成を示す図である。
【図４】会員が掲示板閲覧する動作を示す図である。
【図５】会員がディベートに参加する動作を示す図である。
【図６】会員がディベートテーマを登録し掲示板を開設する動作を示す図である。
【図７】会員が特定のディベートテーマに意見参加あるいはコメント参加する動作を示す図である。
【図８】ディベート管理者が管理端末を通じて、ディベートを統制する動作を示す図である。
【符号の説明】
【００３５】
１    ディベート掲示板システム
１０    掲示板サーバ
１１    ウェブサーバ部
１２    アプリケーション部
１３    データベース管理部
２０    データベース
２１    ユーザデータベース
２２    ディベートデータベース
２３    掲示板データベース
３０    ユーザ端末
３１    ブラウザ
４０    管理端末
４１    ブラウザ
５０    ネットワーク
１２１    ユーザ管理部
１２２    ディベートテーマ登録部
１２３    ディベートテーマ選択部
１２４    参加登録部
１２５    投稿登録部
１２６    意見掲示板検索部
１２７    コメント掲示板検索部
１２８    掲示板画像生成部
１２９    統制指示部
【図１】
0004768330.tif 000002
【図２】
0004768330.tif 000003
【図３】
0004768330.tif 000004
【図４】
0004768330.tif 000005
【図５】
0004768330.tif 000006
【図６】
0004768330.tif 000007
【図７】
0004768330.tif 000008
【図８】
0004768330.tif 000009